(57)【要約】  中継基板は、第一の方向に並列された複数の第一パッドと、第二の方向に並列された複数の第二パッドと、複数の第一パッドと複数の第二パッドとをそれぞれ接続する配線と、を有する。第二の方向は、第一の方向に対して所定の角度で傾いている。所定の角度は、０度より大きく９０度より小さい。
2020049890.tif 000002
【特許請求の範囲】
【請求項１】
第一の方向に並列された複数の第一パッドと、
第二の方向に並列された複数の第二パッドと、
前記複数の第一パッドと前記複数の第二パッドとをそれぞれ接続する配線と、
を有し、
前記第二の方向は、前記第一の方向に対して所定の角度で傾いており、
前記所定の角度は、０度より大きく９０度より小さい、
中継基板。
【請求項２】
前記所定の角度は、３０度以上６０度以下である、
請求項１に記載の中継基板。
【請求項３】
第一の方向に並列された複数の第一パッドと、第二の方向に並列された複数の第二パッドと、前記複数の第一パッドと前記複数の第二パッドとをそれぞれ接続する配線と、を有する中継基板と、
複数本の差動伝送用電線と、
を有し、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さい、
中継基板付き差動伝送用電線。
【請求項４】
コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が同じ方向である、
コネクタ付きケーブル。
【発明の詳細な説明】
【技術分野】
【０００１】
本開示は、中継基板、中継基板付き差動伝送用電線およびコネクタ付きケーブルに関する。
本出願は、２０１８年９月４日出願の日本国特許出願２０１８−１６５４４４号に基づく優先権を主張し、当該出願に記載された全ての記載内容を援用するものである。
【背景技術】
【０００２】
特許文献１〜３には、中継基板を備えたケーブル付きコネクタが開示されている。この中継基板には、ケーブルに含まれる複数の電線をそれぞれ半田付けするパッド（ワイヤーパッド）と、コネクタのピンに接続するパッド（コネクタパッド）とが設けられている。
ワイヤーパッドとコネクタパッドとは、共にケーブルの長手方向と直交する方向に並列して設けられており、ワイヤーパッドとコネクタパッドとの間の配線は直線状に形成されている。
また、特許文献４には、電子機器（通信機器等）において、ケーブルを電子機器内のプリント基板に接続するためのライトアングル型のソケットコネクタが開示されている。
【先行技術文献】
【特許文献】
【０００３】
【特許文献１】日本国特開２０００−６８００７号公報
【特許文献２】日本国特開２００４−３１２５７号公報
【特許文献３】日本国特開２００４−２５３２７２号公報
【特許文献４】日本国特開２００９−２０５９７２号公報
【発明の概要】
【０００４】
本開示の一態様に係る中継基板は、
第一の方向に並列された複数の第一パッドと、
第二の方向に並列された複数の第二パッドと、
前記複数の第一パッドと前記複数の第二パッドとをそれぞれ接続する配線と、
を有し、
前記第二の方向は、前記第一の方向に対して所定の角度で傾いており、
前記所定の角度は、０度より大きく９０度より小さい。
【０００５】
また、本開示の一態様に係る中継基板付き差動伝送用電線は、
第一の方向に並列された複数の第一パッドと、第二の方向に並列された複数の第二パッドと、前記複数の第一パッドと前記複数の第二パッドとをそれぞれ接続する配線と、を有する中継基板と、
複数本の差動伝送用電線と、
を有し、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さい。
【０００６】
また、本開示の一態様に係るコネクタ付きケーブルは、
コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が同じ方向である。
【図面の簡単な説明】
【０００７】
【図１】本開示の実施形態に係るコネクタ付きケーブルの一例の外観を示す模式図である。
【図２】図１のコネクタ付きケーブルの一方の端部のコネクタ内部を表面側から見た図である。
【図３】本開示の実施形態に係る中継基板の表面側を示す図である。
【図４】図１のコネクタ付きケーブルの一方の端部のコネクタ内部を裏面側から見た図である。
【図５】本開示の実施形態に係るコネクタ付きケーブルと比較例のコネクタ付きケーブルとの相違点を説明する図である。
【発明を実施するための形態】
【０００８】
［本開示が解決しようとする課題］
高速信号の伝送を行うには、二本一対の電線を用いた差動伝送が適している。ところが、二本一対の電線の長さを揃えること、即ち等長にしないと、安定した差動伝送は困難になる。
特許文献１〜３のケーブル付きコネクタのコネクタ部分は、ケーブルの接続部からケーブル長手方向と直線的な位置にコネクタ端子が設けられた、所謂ストレート型の構造となっており、中継基板内の配線は前述のように直線状に配線されている。このため、中継基板内の配線は、等長に配置することができる。
特許文献４には、ライトアングル型のソケットコネクタが記載されている。電子機器に接続するケーブル付きコネクタにおいても、ライトアングル型が考えられる。ライトアングル型のケーブル付きコネクタは、例えば、ケーブルの接続部からケーブル長手方向と直角（ライトアングル）の位置にコネクタ端子が設けられる。
【０００９】
ところが、中継基板を用いたケーブル付きコネクタは、ライトアングル型とするためには、ワイヤーパッドからコネクタパッドまでの間に中継基板の配線を９０度曲げなければならない。このため、ライトアングル型の中継基板は、差動信号を伝送する二本一対の配線において線長差が生じないようにするために、ミアンダ配線と呼ばれる蛇行するように折り曲げた配線が用いられる。中継基板上におけるミアンダ配線の領域は、単純な配線の領域よりも無駄なスペースが多いので、ミアンダ配線を用いると中継基板の面積が大きくなってしまう。さらに、複数のワイヤーパッドを高密度に配置した場合は、単純な配線では済まなくなるため、ミアンダ配線を多く設ける必要が生じて、中継基板の面積がさらに大きくなってしまう。このように、中継基板の面積が大きくなると、コネクタのハウジングも大きくなってしまう。
なお、中継基板を多層にして、スルーホールや層間ビアで配線を下の層に通してミアンダ配線を少なくすることも考えられるが、スルーホールや層間ビアを通すことで、信号に対する損失が大きくなるので、高速信号の伝送には不利になる。
【００１０】
本開示は、中継基板の面積をできるだけ大きくせずに、差動伝送を行う二本一対の配線の線長差を無くしつつ、コネクタ内のデッドスペースを小さくすることができる中継基板、中継基板付き電線およびコネクタ付きケーブルを提供することを目的とする。
【００１１】
［本開示の効果］
本開示によれば、中継基板の面積をできるだけ大きくせずに、差動伝送を行う二本一対の配線の線長差を無くしつつ、コネクタ内のデッドスペースを小さくすることができる。
【００１２】
（本開示の実施形態の説明）
最初に本開示の実施態様を列記して説明する。
本開示の一態様に係る中継基板は、
（１）第一の方向に並列された複数の第一パッドと、
第二の方向に並列された複数の第二パッドと、
前記複数の第一パッドと前記複数の第二パッドとをそれぞれ接続する配線と、
を有し、
前記第二の方向は、前記第一の方向に対して所定の角度で傾いており、
前記所定の角度は、０度より大きく９０度より小さい。
【００１３】
上記構成によれば、並列された複数の第一パッドが、並列された複数の第二パッドに対して傾いた配置となる。これにより、第一パッドに接続する電線をできるだけ曲げずに、差動伝送を行う二本一対の配線の線長差を吸収するミアンダ配線を作る領域をできるだけ少なくすることができる。したがって、中継基板の面積をできるだけ大きくせずに、差動伝送を行う二本一対の配線の線長差を無くしつつ、中継基板をコネクタに使用した場合に生じるコネクタ内のデッドスペースを小さくすることができる。
【００１４】
（２）前記所定の角度は、３０度以上６０度以下であってもよい。
上記構成によれば、中継基板における配線の設計をさらに容易にすると共に、中継基板の製造をさらに容易にすることができる。
【００１５】
また、本開示の一態様に係る中継基板付き差動伝送用電線は、
（３）第一の方向に並列された複数の第一パッドと、第二の方向に並列された複数の第二パッドと、前記複数の第一パッドと前記複数の第二パッドとをそれぞれ接続する配線と、を有する中継基板と、
複数本の差動伝送用電線と、
を有し、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さい。
【００１６】
上記構成によれば、中継基板において、並列された複数の第一パッドが、並列された複数の第二パッドに対して傾いた配置となる。これにより、第一パッドに接続する電線をできるだけ曲げずに、差動伝送を行う二本一対の配線の線長差を吸収するミアンダ配線を作る領域をできるだけ少なくすることができる。したがって、中継基板の面積をできるだけ大きくせずに、差動伝送を行う二本一対の配線の線長差を無くしつつ、中継基板をコネクタに使用した場合に生じるコネクタ内のデッドスペースを小さくすることができる。
【００１７】
また、本開示の一態様に係るコネクタ付きケーブルは、
（４）コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が同じ方向である。
【００１８】
上記構成によれば、中継基板において、並列された複数の第一パッドが、並列された複数の第二パッドに対して傾いた配置となる。これにより、第一パッドに接続する電線をできるだけ曲げずに、差動伝送を行う二本一対の配線の線長差を吸収するミアンダ配線を作る領域をできるだけ少なくすることができる。したがって、中継基板の面積をできるだけ大きくせずに、差動伝送を行う二本一対の配線の線長差を無くしつつ、ハウジング内のデッドスペースを小さくすることができる。よって、複数のコネクタ端子が並列された方向と、ハウジングからケーブルが導出された方向とが同じ方向である、所謂ライトアングル型のコネクタ付きケーブルにおいて、コネクタを小型化することができる。
【００１９】
（本開示の実施形態の詳細）
本開示の実施形態に係る中継基板、中継基板付き差動伝送用電線およびコネクタ付きケーブルの具体例を、図面を参照しつつ説明する。
なお、本発明はこれらの例示に限定されるものではなく、請求の範囲によって示され、請求の範囲と均等の意味および範囲内でのすべての変更が含まれることが意図される。
【００２０】
図１は、本開示の実施形態に係るコネクタ付きケーブルの一例の外観を示す模式図である。
図１に示すように、コネクタ付きケーブル１は、ケーブル２と、ケーブル２の両端に接続されたコネクタ３Ａ，３Ｂと、を備えている。
【００２１】
ケーブル２は、複数本の電線がケーブル外被で覆われた構成の多芯ケーブルである。ケーブル２の一方の端部に接続されたコネクタ３Ａは、ケーブル２との接続側と反対側に側方へ突出した接続部５１ａを有するライトアングル型のコネクタである。また、ケーブル２の他方の端部に接続されたコネクタ３Ｂは、ケーブル２との接続側と反対側にケーブル２の長さ方向へ突出した接続部５１ｂを有するストレート型のコネクタである。なお、コネクタ付きケーブル１の構成は、上記構成の他、例えば、ケーブル２の両方の端部にライトアングル型のコネクタが接続されている構成のものであってもよい。
【００２２】
コネクタ付きケーブル１は、例えば、ＦＡ（Ｆａｃｔｏｒｙ  Ａｕｔｏｍａｔｉｏｎ）の機器同士を接続するためのケーブル、あるいは電子機器、モバイル端末等を他の機器と接続するためのケーブルとして使用することが可能である。
【００２３】
図２は、図１のコネクタ付きケーブル１におけるコネクタ３Ａの内部を表面側から見た図である。
図２に示すように、コネクタ３Ａは、ハウジング５０を有しており、側方へ突出する接続部５１ａはハウジング５０の一部を構成するように設けられている。ハウジング５０内には、中継基板３０と、ケーブル２の端部（同軸電線２０ａ〜２０ｆ等が含まれる）と、で構成される中継基板付き差動伝送用電線１０が設けられている。接続部５１ａの内部には、複数のコネクタ端子５２が設けられている（図１参照）。ケーブル２と、コネクタ端子５２とは、ハウジング５０内でそれぞれ中継基板３０に接続されている。
【００２４】
ケーブル２は、複数本（本例では６本）の同軸電線２０ａ〜２０ｆ（差動伝送用電線の一例）と、電力を供給するための複数本（本例では２本）の絶縁電線２１ａ，２１ｂと、これらの電線を覆うケーブル外被２２と、を有している。ケーブル２では、同軸電線２０ａと２０ｂ、同軸電線２０ｃと２０ｄ、同軸電線２０ｅと２０ｆがそれぞれ一対の差動伝送路として用いられている。同軸電線２０ａ〜２０ｆには、例えば、ＡＷＧ（Ａｍｅｒｉｃａｎ  Ｗｉｒｅ  Ｇａｕｇｅ）２８番〜４０番の同軸電線が用いられている。
【００２５】
同軸電線２０ａ〜２０ｆおよび絶縁電線２１ａ，２１ｂは、ケーブル２の端部においてケーブル外被２２から露出した状態とされ、例えば、結束部２３により束ねられている。
また、結束部２３は、ケーブル２をハウジング５０に固定する機能も有している。
露出した同軸電線２０ａ〜２０ｆは、先端から中心導体２４、絶縁体２５および外部導体２６が段階的に所定長ずつ露出した状態とされている。また、露出した絶縁電線２１ａ，２１ｂは、先端部の外被が剥がされて導体２７が露出した状態とされている。
【００２６】
図３は、本実施形態に係る中継基板の表面側を示す図である。
図３に示すように、中継基板３０の表面３０ａには、複数（本例では６個）のワイヤーパッド３１ａ〜３１ｆ（第一パッドの一例）と、複数（本例では６個）のコネクタパッド３２ａ〜３２ｆ（第二パッドの一例）と、電源パッド３３と、が形成されている。ワイヤーパッド３１ａ〜３１ｆは、ケーブル２の同軸電線２０ａ〜２０ｆがそれぞれ接続されるパッドである。コネクタパッド３２ａ〜３２ｆは、接続部５１ａのコネクタ端子５２がそれぞれ接続されるパッドである。電源パッド３３は、ケーブル２の絶縁電線２１ａ，２１ｂが接続されるパッドである。
【００２７】
また、中継基板３０の表面には、ワイヤーパッド３１ａ〜３１ｆとコネクタパッド３２ａ〜３２ｆとをそれぞれ接続する配線３５ａ〜３５ｆの回路パターンが形成されている。配線３５ａ〜３５ｆには、差動伝送を行う同軸電線対、すなわち同軸電線２０ａと２０ｂ、同軸電線２０ｃと２０ｄ、および同軸電線２０ｅと２０ｆの配線を等長にするためのミアンダ配線が施されている。本例では、同軸電線２０ａと２０ｂの配線を等長にするために配線３５ａにミアンダ配線が施されている。同様に、同軸電線２０ｃと２０ｄの配線を等長にするため配線３５ｃにミアンダ配線が施され、同軸電線２０ｅと２０ｆの配線を等長にするため配線３５ｅにミアンダ配線が施されている。
【００２８】
ワイヤーパッド３１ａ〜３１ｆは、中継基板３０の表面上において一定の方向（本例では矢印Ａで示される方向）に並列配置されている。同様に、コネクタパッド３２ａ〜３２ｆは、矢印Ｂで示される方向に並列配置されている。矢印Ｂで示すコネクタパッド３２ａ〜３２ｆの並列方向（第二の方向）は、矢印Ａで示すワイヤーパッド３１ａ〜３１ｆの並列方向（第一の方向）に対して０度より大きく９０度より小さい角度θで傾斜している。
この傾斜角度θは、３０度以上６０度以下であることが好ましい。具体的にこの傾斜角度θは、例えば、３０度、４５度、６０度等に設定される。本例では、４５度に設定されている。
【００２９】
また、電源パッド３３は、スルーホールを介して中継基板３０の裏面につながり、裏面に形成されている電源の回路パターンに接続されている。これにより電源配線と配線３５ａ〜３５ｆの回路パターンとが基板の厚さ方向に離間して配置されるので、配線３５ａ〜３５ｆで伝送される高速信号へのノイズの影響が抑制されるとともに、中継基板３０の小型化を可能にする。
【００３０】
コネクタ付きケーブル１において、ケーブル２は、同軸電線等がケーブル外被２２で覆われた状態（束ねられた状態）で、図２におけるハウジング５０の後部から後方に向けて導出されている。そして、同軸電線２０ａ〜２０ｆおよび絶縁電線２１ａ，２１ｂにおける露出した状態とされている部分と、結束部２３で束ねられている部分とを含むケーブル２の端部がハウジング５０内に設けられている。
【００３１】
また、図２および図３に示すように、ハウジング５０内の同軸電線２０ａ〜２０ｆは、各同軸電線における露出された中心導体２４が中継基板３０のワイヤーパッド３１ａ〜３１ｆに半田により接続されている。同様に、露出された外部導体２６が中継基板３０のグランドパッド３４に半田により接続されている。
【００３２】
また、ハウジング５０内に設けられたケーブル２の端部および中継基板３０は、ハウジング５０に対し固定されている。中継基板３０は、コネクタパッド３２ａ〜３２ｆの並列方向がハウジング５０から導出されるケーブル２の方向と同じ方向になるように固定されている。また、中継基板３０は、コネクタパッド３２ａ〜３２ｆの並列方向が接続部５１ａにおけるコネクタ端子５２の並列方向と同じ方向になるように固定されている。
【００３３】
上述のように、ケーブル２は、高速信号を伝送する差動伝送用の複数の同軸電線２０ａ〜２０ｆと、電力供給用の絶縁電線２１ａ、２１ｂとを有するが、例えば、低速信号伝送用の絶縁電線を含む構成であってもよい。本実施形態では、図４に示すように、低速信号伝送用の絶縁電線４０は、中継基板３０の裏面３０ｂに接続されている。なお、絶縁電線４１は電力供給用の電線である。
【００３４】
本実施形態は、中継基板３０の表面３０ａには図２に示すように差動伝送用の複数の同軸電線２０ａ〜２０ｆが接続され、中継基板３０の裏面３０ｂには図４に示すように低速信号伝送用の複数の絶縁電線４０が接続されている。上記構成は、高速信号を伝送する差動伝送用の配線と低速信号伝送用の配線とが、中継基板３０の同じ面に混在していない。これにより、低速信号用の配線と高速信号用の配線との間のクロストーク等の電気的な干渉やノイズの混入を抑制することができる。
【００３５】
これに対して、高速信号用の配線と低速信号伝送用の配線が混在する場合は、上記のような電気的な干渉を抑制するために、両者の配線間の距離を大きく離す必要がある。本実施形態では、中継基板３０の同じ面に両者の配線が混在していないので、両者の配線間の距離を離すための領域が必要ない。これにより、中継基板３０の面積が大きくならないので、中継基板３０の小型化が可能になる。
【００３６】
また、中継基板３０を多層基板にした場合は、電源の回路パターンを基板内層に形成するようにしてもよい。この場合、電源の回路パターンの面積を広くすることができる。これにより、電源のインピーダンスが下がる等の効果によりノイズの影響をさらに抑制できる。また、中継基板３０の表面の電源の回路パターンの面積が小さくても済むので、中継基板３０のさらなる小型化が可能になる。
また、例えば、低速信号伝送用の電線を使用しない場合などは、差動伝送用の同軸電線を中継基板３０の表面および裏面にそれぞれ接続する構成としてもよい。
【００３７】
また、差動伝送用の電線として二本一組の同軸電線対を用いているが、この例に限定されない。例えば、差動伝送用の電線として、２本の絶縁電線を撚り合わせて対にしてその周囲をシールド層でシールドしたツイストペア電線等を用いるようにしてもよい。
【００３８】
なお、上述の中継基板３０は、ストレート型のコネクタ３Ｂにも用いることができる。その場合、中継基板３０は、コネクタパッド３２ａ〜３２ｆが接続部５１ｂ側になるようにコネクタ３Ｂのハウジング内に配置される。
ただし、ストレート型のコネクタ３Ｂのハウジング内に配置される中継基板３０は、前述の傾斜角度θが小さくなるように設定されることが好ましい。
【００３９】
次に、本実施形態に係るコネクタ付きケーブルと比較例のコネクタ付きケーブルとの相違点について、図５を参照して説明する。
図５において、上段に本実施形態に係るコネクタ付きケーブル１を示し、中段に比較例１のコネクタ付きケーブル１００を示し、下段に比較例２のコネクタ付きケーブル２００を示す。
【００４０】
比較例１のコネクタ付きケーブル１００は、ケーブル１０２の同軸電線１２０ａ〜１２０ｆが中継基板１３０におけるワイヤーパッド１３１ａ〜１３１ｆにそれぞれ接続されている。また、ワイヤーパッド１３１ａ〜１３１ｆとコネクタパッド１３２ａ〜１３２ｆとの間は、配線１３５ａ〜１３５ｆでそれぞれ接続されている。そして、中継基板１３０は、コネクタパッド１３２ａ〜１３２ｆの並列方向（矢印Ｄ方向）がワイヤーパッド１３１ａ〜１３１ｆの並列方向（矢印Ｃ方向）と平行（傾斜角度が０度）になるように構成されている。このため、配線１３５ａ〜１３５ｆは、直線的に配線されているので、差動伝送を行う二本一対の配線における線長はほぼ同じになっている。なお、絶縁電線１２１ａ，１２１ｂは、電力供給用の電線である。
【００４１】
ところが、比較例１のコネクタ付きケーブル１００の場合、ケーブル１０２から露出された同軸電線１２０ａ〜１２０ｆをワイヤーパッド１３１ａ〜１３１ｆに接続するために９０度湾曲させなければならない。また、電力供給用の絶縁電線１２１ａ，１２１ｂも９０度湾曲させなければならない。このため、各電線の湾曲部分が長くなり、コネクタのハウジング１５０内に大きなデッドスペースＳが発生してハウジング１５０の左右方向の幅が大きくなってしまう。
【００４２】
また、比較例２のコネクタ付きケーブル２００は、ケーブル２０２の同軸電線２２０ａ〜２２０ｆが中継基板２３０におけるワイヤーパッド２３１ａ〜２３１ｆにそれぞれ接続されている。なお、絶縁電線２２１ａ，２２１ｂは、電力供給用の電線である。また、ワイヤーパッド２３１ａ〜２３１ｆとコネクタパッド２３２ａ〜２３２ｆとの間は、配線２３５ａ〜２３５ｆでそれぞれ接続されている。そして、中継基板２３０は、コネクタパッド２３２ａ〜２３２ｆの並列方向（矢印Ｆ方向）がワイヤーパッド２３１ａ〜２３１ｆの並列方向（矢印Ｅ方向）に対して直角（傾斜角度θ２＝９０度）となるように構成されている。
【００４３】
このため、コネクタパッド２３２ａ〜２３２ｆとワイヤーパッド２３１ａ〜２３１ｆとは、例えば、コネクタ付きケーブル１００の場合と比較すると、相互間が離れた位置に形成されている。また、配線２３５ａ〜２３５ｆの配線方向は、ワイヤーパッド２３１ａ〜２３１ｆからコネクタパッド２３２ａ〜２３２ｆに至るまでに９０度曲がっている。上記のように９０度曲がった配線とすると、差動伝送を行う二本一対の配線間に線長差が生じるので、配線２３５ａ〜２３５ｆは、線長差を吸収するためのミアンダ配線が施されている。また、配線２３５ａ〜２３５ｆは、高速信号を伝送する配線であるため急激な曲がりを有する形状にすることができないため長くなる。したがって、中継基板２３０は、ミアンダ配線が施された領域が多くなるため面積が大きくなる。その結果、コネクタのハウジング２５０における前後方向の長さが長くなってしまう。
【００４４】
これに対して、本実施形態のコネクタ付きケーブル１によれば、中継基板３０におけるワイヤーパッド３１ａ〜３１ｆの並列方向がコネクタパッド３２ａ〜３２ｆの並列方向に対して０度より大きく９０度よりも小さく傾いた構成とされている。このため、コネクタ３Ａのハウジング５０内において、ケーブル２から露出された同軸電線２０ａ〜２０ｆをできるだけ曲げずにワイヤーパッド３１ａ〜３１ｆに接続することができる。これにより、差動伝送用の同軸電線対を構成する二本一組の同軸電線２０ａと２０ｂ、２０ｃと２０ｄ、２０ｅと２０ｆの配線の線長差を小さくすることができるため、その線長差を吸収するためのミアンダ配線を形成する領域をできるだけ少なくすることができる。したがって、中継基板３０の面積をできるだけ大きくせずに、差動伝送を行う二本一対の配線の線長差を無くしつつ、ハウジング５０内のデッドスペースを小さくすることができる。また、配線３５ａ〜３５ｆの長さが長くなることを抑えることができ、高速信号の伝送品質を高く維持することができる。よって、複数のコネクタ端子５２が並列された方向とハウジング５０からケーブル２が導出された方向とが同じ方向である、ライトアングル型のコネクタ３Ａを備えたコネクタ付きケーブル１においてもコネクタ３Ａを小型化することができる。
【００４５】
また、本実施形態の中継基板３０および中継基板付き差動伝送用電線１０においても、同様に中継基板３０の面積をできるだけ大きくせずに、差動伝送を行う二本一対の配線の線長差を無くすことができる。これにより、中継基板３０をコネクタに使用した場合に生じるコネクタ内のデッドスペースを小さくすることができる。
【００４６】
また、中継基板３０において、コネクタパッド３２ａ〜３２ｆに対するワイヤーパッド３１ａ〜３１ｆの並列方向の傾斜角度を３０度以上６０度以下としてもよい。これにより、ハウジング５０内のデッドスペースを少なくしつつ、配線３５ａ〜３５ｆの設計をさらに容易にすることができる。したがって、中継基板３０の製造をさらに容易にすることができる。
【００４７】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４８】
１：コネクタ付きケーブル
２：ケーブル
３Ａ，３Ｂ：コネクタ
１０：中継基板付き差動伝送用電線
２０ａ〜２０ｆ：同軸電線（差動伝送用電線の一例）
２１ａ，２１ｂ：絶縁電線
２２：ケーブル外被
２３：結束部
２４：中心導体
２５：絶縁体
２６：外部導体
２７：導体
３０：中継基板
３０ａ：表面
３０ｂ：裏面
３１ａ〜３１ｆ：ワイヤーパッド（第一パッドの一例）
３２ａ〜３２ｆ：コネクタパッド（第二パッドの一例）
３３：電源パッド
３４：グランドパッド
３５ａ〜３５ｆ：配線
４０、４１：絶縁電線
５０：ハウジング
５１ａ、５１ｂ：接続部
５２：コネクタ端子
【図１】
2020049890.tif 000003
【図２】
2020049890.tif 000004
【図３】
2020049890.tif 000005
【図４】
2020049890.tif 000006
【図５】
2020049890.tif 000007
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が同じ方向である、
コネクタ付きケーブル。
【請求項２】
前記所定の角度は、３０度以上６０度以下である、
請求項１に記載のコネクタ付きケーブル。
【請求項３】
コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が直交する方向である、
コネクタ付きケーブル。
【請求項４】
前記所定の角度は、３０度以上６０度以下である、
請求項３に記載のコネクタ付きケーブル。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
コネクタと、ケーブルと、を備え、
前記コネクタは、
第一の方向に並列された複数の第一パッドと、第二の方向に並列された複数の第二パッドと、前記複数の第一パッドと前記複数の第二パッドとをそれぞれ接続する配線と、を有する中継基板と、
前記中継基板を収容したハウジングと、
前記第二の方向に並列された複数のコネクタ端子と、
を有し、
前記複数の第二パッドは、前記複数のコネクタ端子に接続されており、
前記ケーブルは、複数本の差動伝送用電線を有し、前記複数本の差動伝送用電線を束ねた状態で、前記ハウジングから導出されており、
前記複数本の差動伝送用電線が、前記複数の第一パッドにそれぞれ接続され、
前記第二の方向は、前記第一の方向に対して所定の角度で傾いており、前記所定の角度は、０度より大きく９０度より小さく、
前記第二の方向と、前記ケーブルが前記ハウジングから導出された方向と、が同じ方向である、
コネクタ付きケーブル。
【請求項２】
前記所定の角度は、３０度以上６０度以下である、
請求項１に記載のコネクタ付きケーブル。
【国際調査報告】
2020049890.tif 000008
2020049890.tif 000009
2020049890.tif 000010
2020049890.tif 000011